(57)【要約】【課題】フロントパネルの裏面に水が溜まることを防止する。【解決手段】浴室換気乾燥暖房機１は、本体部３の下面にフロントパネルが取り付けられる装置であって、浴室内の空気を吸い込んで吹き出す循環換気ファン２と、循環換気ファン２から吹き出される空気の一部を浴室内に吹き出す第２の吹出口２２と、循環換気ファン２から吹き出される空気の一部をフロントパネルの裏面側に吹き出す第３の吹出口２３ａ，２３ｂと、第２の吹出口２２と第３の吹出口２３ａとを仕切る仕切り部７０ａ及び第２の吹出口２２と第３の吹出口２３ｂとを仕切る仕切り部７０ｂとを備える。【選択図】図２
2019199859.tif 000002
【特許請求の範囲】
【請求項１】
送風装置本体部の下面にフロントパネルが取り付けられる送風装置であって、
空気を吸い込んで吹き出す送風部と、
前記送風部から吹き出される空気の一部を前記フロントパネルの裏面に吹き出す裏面吹き出し部と、
を備える、送風装置。
【請求項２】
前記送風部から吹き出された空気を室内に吹き出す室内吹き出し部を備え、
前記裏面吹き出し部と前記室内吹き出し部とは隣設される、
請求項１に記載の送風装置。
【請求項３】
前記裏面吹き出し部と前記室内吹き出し部とを仕切る本体側仕切り部を備える、
請求項２に記載の送風装置。
【請求項４】
前記裏面吹き出し部は、前記フロントパネルの裏面側の周縁部の延在方向に沿うように前記送風部からの空気を吹き出す、
請求項１から３の何れか一項に記載の送風装置。
【請求項５】
前記裏面吹き出し部からの空気の吹き出しと、前記室内吹き出し部からの空気の吹き出しとを制御する吹き出し制御機構を備える、
請求項２から４の何れか一項に記載の送風装置。
【請求項６】
前記吹き出し制御機構は、
前記裏面吹き出し部から空気を吹き出す状態と、
前記室内吹き出し部から空気を吹き出す状態と、
前記裏面吹き出し部と前記室内吹き出し部とから空気を吹き出す状態と、
のうち少なくとも１つの状態を制御する、
請求項５に記載の送風装置。
【請求項７】
前記フロントパネルには、前記裏面吹き出し部に対向する部位が閉塞された閉塞部と、前記室内吹き出し部に対向する部位が開口された開口部とが設けられる、
請求項２から６の何れか一項に記載の送風装置。
【請求項８】
前記フロントパネルは、前記閉塞部と前記開口部とを仕切るパネル側仕切り部を備え、
前記パネル側仕切り部は、前記本体側仕切り部に当接可能に設けられる、
請求項７に記載の送風装置。
【発明の詳細な説明】
【技術分野】
【０００１】
本発明は、送風装置に関する。
【背景技術】
【０００２】
従来から、浴室や部屋等の天井に設置され、浴室内を温めたり、浴室内に干した洗濯物を乾燥したりする機能を備えた送風装置が広く利用されている。また、一般的な送風装置は、室内の汚れた空気等を屋外に排出すると共に、新鮮な外気を取り入れたりする換気機能を備えている。
【０００３】
ここで、浴室内でシャワーを使用した場合、例えば換気運転モード時に吸い込んだ浴室内の水滴が、送風装置の風路を形成するケース等に付着し、付着した水滴が一定量に達するとフロントパネルの裏面側（内側）に滴下する場合があった。さらに、浴室内の温度と天井裏等の外気温度との差が大きい場合には、送風装置のケース内側に水滴が生じ、同様に、水滴が一定量に達するとフロントパネルの裏面側に滴下する場合があった。
【０００４】
上述した問題を解決する手段として、例えば特許文献１には、フラットに形成され、その全周に亘る隙間から浴室空気を吸い込む意匠パネルを備えた浴室乾燥機が開示されている。特許文献２には、ルーバーの本体開口に向かい合う下面の面積が、ルーバー枠で囲まれて形成される面積よりも大きくするとともに、フランジ部で囲まれて形成される面積より大きくした浴室用換気暖房機が開示されている。
【先行技術文献】
【特許文献】
【０００５】
【特許文献１】特許第４４３２６５４号公報
【特許文献２】特許第５４６０９２１号公報
【発明の概要】
【発明が解決しようとする課題】
【０００６】
しかしながら、上述した特許文献１及び２に開示の送風装置では、以下のような問題があった。すなわち、フロントパネルの形状及び大きさ等に応じて、フロントパネルの裏面内部に溜められる水量には制限がある。そのため、フロントパネルの厚みが薄い場合等には、フロントパネルの裏面側の内部に溜められる水量が少なくなってしまう場合がある。この場合、フロントパネルの裏面内部の水が溢れ、溢れた水が浴室内に滴下してしまうという問題があった。さらに、フロントパネルの裏面側の内部に水が長時間溜まった状態が続くと、フロントパネルの裏面にカビが発生してしまう場合があった。
【０００７】
そこで、本発明は、上記課題を解決するものであり、フロントパネルの裏面に水が溜まることを防止することが可能な送風装置を提供することを目的とする。
【課題を解決するための手段】
【０００８】
本発明に係る送風装置は、送風装置本体部の下面にフロントパネルが取り付けられる送風装置であって、空気を吸い込んで吹き出す送風部と、前記送風部から吹き出される空気の一部を前記フロントパネルの裏面に吹き出す裏面吹き出し部と、を備える。本発明において、裏面吹き出し部からフロントパネルの裏面に吹き出された空気は、フロントパネルの裏面の内部を流れ、フロントパネルの裏面内部に滞留している水に当たる。これにより、水の乾燥が促進される。
【発明の効果】
【０００９】
本発明によれば、送風部から吹き出される空気の一部をフロントパネルの裏面に吹き出すので、フロントパネルの裏面に溜まった水の乾燥を促進することができる。
【図面の簡単な説明】
【００１０】
【図１】本発明の一実施の形態に係る浴室換気乾燥暖房機の断面図である。
【図２】フロントパネルを取り外した状態における浴室換気乾燥暖房機の底面図である。
【図３】浴室換気乾燥暖房機の底面図である。
【図４】浴室換気乾燥暖房機の分解斜視図である。
【図５Ａ】風路切替ダンパの平面図である。
【図５Ｂ】風路切替ダンパのＡ−Ａ線に沿った断面図である。
【図５Ｃ】風路切替ダンパのＢ−Ｂ線に沿った断面図である。
【図６Ａ】暖房運転モード時における浴室換気乾燥暖房機の動作を説明するための図である（その１）。
【図６Ｂ】暖房運転モード時における浴室換気乾燥暖房機の動作を説明するための図である（その２）。
【図６Ｃ】暖房運転モード時における浴室換気乾燥暖房機の動作を説明するための図である（その３）。
【図７Ａ】乾燥運転モード時における浴室換気乾燥暖房機の動作を説明するための図である（その１）。
【図７Ｂ】乾燥運転モード時における浴室換気乾燥暖房機の動作を説明するための図である（その２）。
【図７Ｃ】乾燥運転モード時における浴室換気乾燥暖房機の動作を説明するための図である（その３）。
【図７Ｄ】乾燥運転モード時における浴室換気乾燥暖房機の動作を説明するための図である（その４）。
【図８Ａ】換気運転モード時における浴室換気乾燥暖房機の動作を説明するための図である（その１）。
【図８Ｂ】換気運転モード時における浴室換気乾燥暖房機の動作を説明するための図である（その２）。
【図８Ｃ】換気運転モード時における浴室換気乾燥暖房機の動作を説明するための図である（その３）。
【図８Ｄ】換気運転モード時における浴室換気乾燥暖房機の動作を説明するための図である（その４）。
【発明を実施するための形態】
【００１１】
以下に添付図面を参照しながら、本発明の好適な実施の形態について詳細に説明する。
【００１２】
＜浴室換気乾燥暖房機１の構成例＞
図１は、本発明の一実施の形態に係る浴室換気乾燥暖房機１の断面図である。図２は、浴室換気乾燥暖房機１のフロントパネル４を取り外した状態における底面図である。図３は、浴室換気乾燥暖房機１の底面図である。図４は、浴室換気乾燥暖房機１の分解斜視図である。図５Ａは風路切替ダンパ６の平面図であり、図５Ｂは風路切替ダンパ６のＡ−Ａ線に沿った断面図であり、図５Ｃは風路切替ダンパ６のＢ−Ｂ線に沿った断面図である。
【００１３】
本実施の形態において浴室換気乾燥暖房機１のフロントパネル４側を浴室換気乾燥暖房機１の下側とし、その反対方向を浴室換気乾燥暖房機１の上側とする。また、浴室換気乾燥暖房機１の上下方向に直交する方向において、排気ダクト３４側を浴室換気乾燥暖房機１の左側とし、その反対方向を浴室換気乾燥暖房機１の右側とする。さらに、浴室換気乾燥暖房機１の上下方向及び左右方向に直交する方向において、浴室換気乾燥暖房機１の図１における手前側を浴室換気乾燥暖房機１の前側とし、その反対方向を浴室換気乾燥暖房機１の後側とする。
【００１４】
図１〜図４に示すように、送風装置の一例を成す浴室換気乾燥暖房機１は、空気を吸い込んで吹き出す送風部の一例としての循環換気ファン２と、循環換気ファン２により吸い込まれた空気を加熱するヒータ５と、循環換気ファン２により吸い込まれた空気の風路を切り替える吹き出し制御機構の一例としての風路切替ダンパ６と、空気の風路を形成する風路形成枠体５０及び仕切り機構７Ａ，７Ｂと、循環換気ファン２、ヒータ５、風路切替ダンパ６、風路形成枠体５０及び仕切り機構７Ａ，７Ｂのそれぞれを収容する本体部３と、本体部３の下面に取り付けられるフロントパネル４とを備える。本実施の形態において、浴室換気乾燥暖房機１は、フロントパネル４を浴室内に露出させた形態で浴室の天井に取り付けられる。
【００１５】
循環換気ファン２は、図１等に示すように、多翼の羽根車２５と、羽根車２５を駆動する循環換気ファンモータ２６とを備える。羽根車２５は、循環換気ファンモータ２６に駆動されて回転することで、羽根車２５の内側から外周側へと遠心方向に吹き出される空気の流れを発生させる。循環換気ファンモータ２６は、図示しない制御装置の指示に基づいて駆動し、羽根車２５を回転駆動する。
【００１６】
本体部３は、図１等に示すように、樹脂材料で構成される本体シャーシ３０と、本体シャーシ３０を覆う金属ケース３３とを有する。本体シャーシ３０は、金属ケース３３で覆われる循環換気ファンケース３１と、本体部３の下端の周縁部から外側に突出するフランジ部３２とから構成される。循環換気ファンケース３１とフランジ部３２とは、一体（単一の材料）で構成される。循環換気ファンケース３１の下面には、下カバー３５が取り付けられる。
【００１７】
循環換気ファンケース３１は、図２等に示すように、羽根車２５の外周に沿った略円形の部位で構成される吹出風路２８を有し、羽根車２５の遠心方向に吹き出される空気を整流して羽根車２５の接線方向に沿って吹き出される空気の流れを発生させる。具体的には、循環換気ファンケース３１は、第１の風路形成部３１ａと、第２の風路形成部３１ｂと、舌部３１ｃとを有する。第１の風路形成部３１ａは、羽根車２５の円周方向に沿うように空気の流れを整流する。第２の風路形成部３１ｂは、羽根車２５の接線方向に沿うように空気の流れを整流する。舌部３１ｃは、第１の風路形成部３１ａと第２の風路形成部３１ｂとの間に設けられ、吹出風路２８を狭めるように対向する第２の風路形成部３１ｂ側に突出する。
【００１８】
また、循環換気ファンケース３１は、図１及び図２等に示すように、循環換気吸込口２０と、第１の吹出口２１と、室内吹き出し部の一例としての第２の吹出口２２と、裏面吹き出し部の一例としての第３の吹出口２３ａ，２３ｂと、換気吹出口２４とを備える。
【００１９】
循環換気吸込口２０は、循環換気ファンケース３１の下面に取り付けられる下カバー３５に形成され、羽根車２５の回転軸に沿った下方側にベルマウスと称される円形の開口で構成される。循環換気吸込口２０は、循環換気ファン２の駆動により浴室内の空気をフロントパネル４を介して吸い込む。
【００２０】
第１の吹出口２１は、循環換気ファンケース３１の下部側に配置された風路形成枠体５０により区画された開口で構成され、循環換気ファンケース３１の前後方向の長さを長辺とする平面視長方形状からなる。第１の吹出口２１は、吹出風路２８から送風される空気が通る循環空気吹出風路を形成し、ヒータ５を駆動することで加熱された空気を浴室内に吹き出したり、ヒータ５を非駆動とすることで浴室の温度に応じた空気を浴室内に吹き出したりする。
【００２１】
第２の吹出口２２は、循環換気ファンケース３１の下部側に配置された風路形成枠体５０等により構成され、第１の吹出口２１に対して循環換気吸込口２０とは反対側に隣設される。より具体的には、第２の吹出口２２は、風路形成枠体５０の外壁面と循環換気ファンケース３１の換気吹出口２４側の内壁面と本体側仕切り部７０ａ，７０ｂとで区画される開口により構成される。第２の吹出口２２は、吹出風路２８から流れる空気が通る攪拌空気吹出風路を形成し、浴室内を攪拌するための空気を浴室内に吹き出す。
【００２２】
第３の吹出口２３ａ，２３ｂは、循環換気ファンケース３１の下部側に配置された風路形成枠体５０等により構成され、第２の吹出口２２の前後方向のそれぞれの端部側に隣設される。より具体的には、第３の吹出口２３ａは、風路形成枠体５０の外壁面と循環換気ファンケース３１の換気吹出口２４側の内壁面と仕切り部７０ａとで区画される開口により構成される。同様に、第３の吹出口２３ｂは、風路形成枠体５０の外壁面と循環換気ファンケース３１の内壁面と仕切り部７０ｂとで区画される開口により構成される。第３の吹出口２３ａ，２３ｂは、吹出風路２８からの空気が通る空気吹出風路を形成し、フロントパネル４の裏面側の内部に溜まった結露水の乾燥を促進するための空気をフロントパネル４の裏面側に吹き出す。
【００２３】
換気吹出口２４は、循環換気ファンケース３１の左側の側面部に設けられ、吹出風路２８から流れる空気を室外に吹き出す。循環換気ファンケース３１の換気吹出口２４には、排気ダクト３４が取り付けられる。
【００２４】
循環換気ファンケース３１で構成される吹出風路２８は、第１の吹出口２１及び第２の吹出口２２が設けられる部位で広げられ、換気吹出口２４が設けられる部位で狭められる。第１の吹出口２１と第２の吹出口２２は、循環換気ファンケース３１による空気の吹出方向に沿った辺に対して交差する長辺が、本体部３の前後方向の長さに合わせられる。
【００２５】
風路形成枠体５０は、図２及び図４等に示すように、吹出風路２８の下流側であって循環換気吸込口２０に隣接する位置における循環換気ファンケース３１の下部に取り付けられる。風路形成枠体５０は、循環換気ファンケース３１の前後方向の長さを長辺とする平面視長方形状からなり、第１の吹出口２１及び第２の吹出口２２のそれぞれを構成する枠体として用いられる。
【００２６】
仕切り機構７Ａ，７Ｂは、本体側仕切り部７０ａ，７０ｂと、本体側仕切り部７０ａ，７０ｂを支持するための支持部材７２ａ，７２ｂとを有する。
【００２７】
本体側仕切り部７０ａは、第２の吹出口２２と第３の吹出口２３ａとの間に設けられ、第２の吹出口２２と第３の吹出口２３ａとを仕切る。本体側仕切り部７０ａは、ヒータ５側から循環換気ファンケース３１側に向かって延びる平板部材から構成される。本体側仕切り部７０ａの基端部は支持部材７２ａの一端部に取り付けられ、本体側仕切り部７０ａの先端面は循環換気ファンケース３１の換気吹出口２４側の内壁面に当接可能に構成される。支持部材７２ａは、風路形成枠体５０の一方の側面部５０ａに取り付けられる。
【００２８】
同様に、本体側仕切り部７０ｂは第２の吹出口２２と第３の吹出口２３ｂとの間に設けられ、第２の吹出口２２と第３の吹出口２３ｂとを仕切る。本体側仕切り部７０ｂは、ヒータ５側から循環換気ファンケース３１（外側）に向かって延びる平板部材から構成される。本体側仕切り部７０ｂの基端部は支持部材７２ｂの一端部に取り付けられ、本体側仕切り部７０ｂの先端面は循環換気ファンケース３１の換気吹出口２４側の内壁面に当接可能に構成される。支持部材７２ｂは、風路形成枠体５０の他方の側面部５０ｂに取り付けられる。
【００２９】
風路切替ダンパ６は、図１及び図５Ａ〜図５Ｃに示すように、図示しないダンパモータの駆動力が伝達されることで軸６０を支点に回転し、第１の吹出口２１、第２の吹出口２２、第３の吹出口２３ａ，２３ｂ及び換気吹出口２４の開閉動作を行う。風路切替ダンパ６は、主風路切替部６１と、副風路切替部６２と、逆流防止部６３とを備える。
【００３０】
主風路切替部６１は、空気の流れる方向に対して軸６０より上流側の部位であり、軸６０を支点とした回転動作で第１の吹出口２１及び換気吹出口２４を開閉する。主風路切替部６１は、円弧状に湾曲した板部材からなり、第１の吹出口２１及び換気吹出口２４を閉塞可能な大きさで構成される。
【００３１】
副風路切替部６２は、空気の流れる方向に対して軸６０より下流側の部位であり、軸６０を支点とした回転動作で第２の吹出口２２を開閉する方向へ移動する。副風路切替部６２は、平板部材からなり、第２の吹出口２２を閉塞可能な大きさで構成される。
【００３２】
逆流防止部６３は、副風路切替部６２の先端部からヒータ５側に略直角に折り曲げられた面状部材からなり、循環換気ファンケース３１の換気吹出口２４側の内壁面に面接触可能に構成される。これにより、第２の吹出口２２を密閉した状態で塞ぐことができる。
【００３３】
続けて、浴室換気乾燥暖房機１の各運転モード時における風路切替ダンパ６の位置及び機能について図１及び図２等を参照して説明する。風路切替ダンパ６は、暖房運転モード又は停止運転モードが選択されると図１に実線で示す第１の位置Ｐ１（暖房・停止位置）に移動する。風路切替ダンパ６が第１の位置Ｐ１である場合、主風路切替部６１が上方側の循環換気ファンケース３１の内壁面に接触し、副風路切替部６２が風路形成枠体５０の外壁面に接触する。これにより、換気吹出口２４、第２の吹出口２２及び第３の吹出口２３ａ，２３ｂが閉じると共に第１の吹出口２１が開き、循環換気吸込口２０から第１の吹出口２１に繋がる循環風路が形成される。
【００３４】
なお、暖房・停止運転モードの場合、主風路切替部６１の上面部は、循環換気ファンケース３１の換気吹出口２４に対応する位置に形成された開口縁状をなす枠体に当接し、循環換気ファンケース３１内を密閉する。枠体は、主風路切替部６１の上面部の湾曲形状に沿う形状であって、循環換気ファンケース３１の内壁面から風路切替ダンパ６側に突出する。
【００３５】
風路切替ダンパ６は、乾燥運転モードが選択されると図１に破線で示す第２の位置Ｐ２（乾燥位置）に移動する。風路切替ダンパ６が第２の位置Ｐ２である場合、主風路切替部６１が吹出風路２８の中間付近に位置し、副風路切替部６２が風路形成枠体５０から離間する。これにより、第１の吹出口２１、第２の吹出口２２、第３の吹出口２３ａ，２３ｂ及び換気吹出口２４が開き（図７Ｄ参照）、循環換気吸込口２０から第１の吹出口２１に繋がる循環風路と、循環換気吸込口２０から第２の吹出口２２に繋がる循環風路と、循環換気吸込口２０から第３の吹出口２３ａ，２３ｂに繋がる風路と、循環換気吸込口２０から換気吹出口２４に繋がる換気風路とが形成される。
【００３６】
風路切替ダンパ６は、換気運転モード又は２４時間換気運転モードが選択されると図１に一点鎖線で示す第３の位置Ｐ３（換気・２４時間換気位置）に移動する。風路切替ダンパ６が第３の位置Ｐ３である場合、主風路切替部６１が下カバー３５に接触し、副風路切替部６２が循環換気ファンケース３１の換気吹出口２４側の内壁面に接触する。これにより、第３の吹出口２３ａ，２３ｂ及び換気吹出口２４が開くと共に、第１の吹出口２１及び第２の吹出口２２が閉じ（図８Ｄ参照）、循環換気吸込口２０から第３の吹出口２３ａ，２３ｂに繋がる循環風路と、循環換気吸込口２０から換気吹出口２４に繋がる換気風路とが形成される。
【００３７】
ヒータ５は、図１等に示すように、例えばＰＴＣヒータで構成され、第１の吹出口２１から吹き出される空気が通る循環空気吹出風路に設けられる。ヒータ５は、第１の吹出口２１に設置された風路形成枠体５０に収容される。ヒータ５は、図示しない駆動源により通電されると、第１の吹出口２１を通る空気を加熱して第１の吹出口２１から温風を室内に送風する。なお、本実施の形態では、加熱手段として電気により駆動されるヒータ５を例に説明したが、温水による熱交換器等のヒータでも良い。また、本実施の形態では、１００Ｖのヒータ５を１本設けた例について説明しているが、１００Ｖのヒータ５を２本で構成しても良い。
【００３８】
フロントパネル４は、図１，図３及び図４等に示すように、吸込口グリル４０と、第１の吹出口グリル４１と、開口部の一例としての第２の吹出口グリル４２と、パネル側仕切り部４３ａ，４３ｂとを備える。吸込口グリル４０は、循環換気ファン２の循環換気吸込口２０に対向した位置に開口して形成され、浴室内の空気を吸い込んで循環換気吸込口２０に供給する。
【００３９】
第１の吹出口グリル４１は、循環換気ファン２の第１の吹出口２１に対向した位置に形成され、第１の吹出口２１から送られる空気を浴室内に吹き出す。第１の吹出口グリル４１は、フロントパネル４の短手方向を長辺とする平面視長方形状の開口で構成される。
【００４０】
第２の吹出口グリル４２は、循環換気ファン２の第２の吹出口２２に対向した位置に形成され、第２の吹出口２２から送られる空気を浴室内に吹き出す。第２の吹出口グリル４２は、フロントパネル４の短手方向を長辺とする平面視長方形状の開口であって、その長辺の長さが第１の吹出口グリル４１の長辺よりも短い長さで構成される。また、本実施の形態では、フロントパネル４の第３の吹出口２３ａ，２３ｂに対向する位置が、開口されておらず、閉塞した閉塞部４６ａ，４６ｂ（図４参照）となっている。
【００４１】
パネル側仕切り部４３ａは、第２の吹出口グリル４２の長辺方向の一方の端部側であって、本体側仕切り部７０ａに対向する位置に形成される。パネル側仕切り部４３ａは、平板部材からなり、フロントパネル４の底面部から本体部３側に向かって突出する。パネル側仕切り部４３ａの平面方向は第２の吹出口グリル４２の長手方向と平行に形成され、パネル側仕切り部４３ａの上端面が対向する本体側仕切り部７０ａの下端面に当接可能に構成される。これにより、パネル側仕切り部４３ａと本体側仕切り部７０ａとで連続した平面を構成し、第２の吹出口２２の風路と第３の吹出口２３ａの風路とを仕切ることができるようになっている。
【００４２】
同様に、パネル側仕切り部４３ｂは、第２の吹出口グリル４２の長辺方向の他方の端部側であって、本体側仕切り部７０ｂに対向する位置に形成される。パネル側仕切り部４３ｂは、平板部材からなり、フロントパネル４の底面部から本体部３側に向かって突出する。パネル側仕切り部４３ｂの平面方向は第２の吹出口グリル４２の長手方向と平行に形成され、パネル側仕切り部４３ｂの上端面が対向する本体側仕切り部７０ｂの下端面に当接可能に構成される。これにより、パネル側仕切り部４３ｂと本体側仕切り部７０ｂとで連続した平面を構成し、第２の吹出口２２の風路と第３の吹出口２３ｂの風路とを仕切ることができるようになっている。
【００４３】
＜浴室換気乾燥暖房機１の動作例＞
［暖房運転モード］
図６は暖房運転モード時における浴室換気乾燥暖房機１の動作を説明するための図であり、図６Ａは図３の浴室換気乾燥暖房機１のＢ−Ｂ線に沿った断面図であり、図６Ｂは図３の浴室換気乾燥暖房機１のＣ−Ｃ線に沿った断面図であり、図６Ｃは図３の浴室換気乾燥暖房機１のＤ−Ｄ線に沿った断面図である。なお、図６では、図３の浴室換気乾燥暖房機１を便宜上、暖房運転モードで動作させている状態を前提とする。
【００４４】
浴室換気乾燥暖房機１は、暖房運転モードが選択されると、風路切替ダンパ６を第１の位置Ｐ１（図１参照）に移動させる。また、浴室換気乾燥暖房機１は、風路切替ダンパ６の移動に伴って、循環換気ファンモータ２６を駆動して羽根車２５を回転させると共に、ヒータ５に通電する。羽根車２５が回転すると、浴室内の空気がフロントパネル４の吸込口グリル４０を介して循環換気吸込口２０に吸い込まれる。
【００４５】
循環換気吸込口２０から吸い込まれた浴室１００の空気の略全量は、第１の吹出口２１に流れる。第１の吹出口２１に流れた空気は、ヒータ５によって加熱され、フロントパネル４の第１の吹出口グリル４１から温風として浴室内に吹き出される。暖房運転モードでは、風路切替ダンパ６が第１の位置Ｐ１にあるので、第２の吹出口２２及び第３の吹出口２３ａ，２３ｂに空気は流れない。また、換気吹出口２４にも空気が流れないので、浴室内の空気は屋外に排出されない。
【００４６】
暖房運転モードによれば、第１の吹出口グリル４１から温風を吹き出しながら浴室１００内の空気を循環できるので、浴室内の温度を入浴に適した温度に上昇させることができる。なお、浴室換気乾燥暖房機１が停止運転モードである場合は、循環換気ファンモータ及びヒータ５がオフであることを除いて、その他の動作は暖房運転モードと共通するため、詳細な説明は省略する。
【００４７】
［乾燥運転モード］
図７は乾燥運転モード時における浴室換気乾燥暖房機１の動作を説明するための図であり、図７Ａは図３の浴室換気乾燥暖房機１のＡ−Ａ線に沿った断面図であり、図７Ｂは図３の浴室換気乾燥暖房機１のＢ−Ｂ線に沿った断面図であり、図７Ｃは図３の浴室換気乾燥暖房機１のＣ−Ｃ線に沿った断面図であり、図７Ｄは図３の浴室換気乾燥暖房機１のＤ−Ｄ線に沿った断面図である。なお、図７では、図３の浴室換気乾燥暖房機１を便宜上、乾燥運転モードで動作させている状態を前提とする。
【００４８】
浴室換気乾燥暖房機１は、乾燥運転モードが選択されると、風路切替ダンパ６を第２の位置Ｐ２（図１参照）に移動させる。また、浴室換気乾燥暖房機１は、風路切替ダンパ６の移動に伴って、循環換気ファンモータ２６を駆動して羽根車２５を回転させると共にヒータ５に通電する。羽根車２５が回転すると、浴室内の空気がフロントパネル４の吸込口グリル４０を介して循環換気吸込口２０に吸い込まれる。
【００４９】
循環換気吸込口２０から吸い込まれた浴室の空気の一部は、第１の吹出口２１、第２の吹出口２２及び第３の吹出口２３ａ，２３ｂのそれぞれに流れる。第１の吹出口２１に流れた空気は、ヒータ５によって加熱され、フロントパネル４の第１の吹出口グリル４１から温風として浴室内に吹き出される。
【００５０】
第２の吹出口２２に流れた空気は、ヒータ５を通過しないので、フロントパネル４の第２の吹出口グリル４２から室温に応じた空気として浴室内に吹き出される。本実施の形態では、図７Ｂ及び図７Ｃに示すように、風路切替ダンパ６の上方側の風路及び下方側の風路の２箇所を経由して浴室内に空気を吹き出すので、１箇所の吹出口から吹き出す場合よりも浴室内に吹き出す空気の風速をアップさせることができる。
【００５１】
第３の吹出口２３ａ，２３ｂに流れた空気は、フロントパネル４の第３の吹出口２３ａ，２３ｂに対向する位置が開口されていないので、フロントパネル４の裏面に吹き付けられ、フロントパネル４の裏面の周縁部の延在方向（図３及び図７Ｄに示す送風方向Ｄ１）に沿うように流れる。例えば、第３の吹出口２３ａ，２３ｂから送風された空気は、第３の吹出口２３ａ，２３ｂ側から循環換気吸込口２０側に向かって流れる。
【００５２】
また、循環換気吸込口２０から吸い込まれた浴室の空気の残部は、換気吹出口２４へと流れ、排気ダクト３４を通過して排気として屋外へ排気される。
【００５３】
乾燥モードによれば、第２の吹出口グリル４２から図示しない整流板を介して吹き出される空気によって、浴室の一方の壁面に沿って下方に向かい、浴室の下層付近を他方の壁面に向かい、他方の壁面に沿って上方に向かう空気の流れを発生させることができる。また、例えば第１の吹出口グリル４１の直下近傍に設置したランドリパイプに掛けられた衣類等の被乾燥物の全体に温風を当てることができる。さらに、第３の吹出口２３ａ，２３ｂからフロントパネル４の裏面側に空気を吹き付けるので、フロントパネル４の裏面に滞留する結露水に風を当てることができ、結露水の乾燥性能の向上を図ることができる。
【００５４】
［乾燥運転モード］
図８は換気運転モード時における浴室換気乾燥暖房機１の動作を説明するための図であり、図８Ａは図３のＡ−Ａ線に沿った断面図であり、図８Ｂは図３の浴室換気乾燥暖房機１のＢ−Ｂ線に沿った断面図であり、図８Ｃは図３の浴室換気乾燥暖房機１のＣ−Ｃ線に沿った断面図であり、図８Ｄは図３の浴室換気乾燥暖房機１のＤ−Ｄ線に沿った断面図である。なお、図８では、図３の浴室換気乾燥暖房機１を便宜上、換気運転モードで動作させている状態を前提とする。
【００５５】
浴室換気乾燥暖房機１は、換気運転モードが選択されると、風路切替ダンパ６を第３の位置Ｐ３（図１参照）に移動させる。また、浴室換気乾燥暖房機１は、風路切替ダンパ６の移動に伴って、ヒータ５を非駆動とすると共に循環換気ファンモータ２６を駆動して羽根車２５を回転させる。羽根車２５が回転すると、浴室内の空気がフロントパネル４の吸込口グリル４０を介して循環換気吸込口２０に吸い込まれる。
【００５６】
循環換気吸込口２０から吸い込まれた浴室の空気の一部は、第３の吹出口２３ａ，２３ｂに流れる。第３の吹出口２３ａ，２３ｂに流れた空気は、フロントパネル４の第３の吹出口２３ａ，２３ｂに対向する位置が開口されていないので、フロントパネル４の裏面に吹き付けられ、フロントパネル４の裏面の周縁部の延在方向（図３及び図８Ｄに示す送風方向Ｄ１）に沿うように流れる。例えば、第３の吹出口２３ａ，２３ｂから送風された空気は、第３の吹出口２３ａ，２３ｂ側から循環換気吸込口２０側に向かって流れる。
【００５７】
また、循環換気吸込口２０から吸い込まれた浴室の空気の一部は、換気吹出口２４へと流れ、排気ダクト３４を通過して排気として屋外へ排気される。
【００５８】
換気運転モードによれば、浴室内の湯気や湿気を排出して結露等を抑制し、カビの発生を抑えることができる。また、第３の吹出口２３ａ，２３ｂからフロントパネル４の裏面側に空気を吹き付けるので、フロントパネル４の裏面に滞留していた結露水に風を当てることができ、結露水の乾燥性能の向上を図ることができる。なお、２４時間換気運転モードは、換気運転モードとは循環換気ファンモータ２６の回転数が異なるのみで、その他の動作は換気運転モードと共通するため、詳細な説明は省略する。
【００５９】
以上説明したように、本実施の形態によれば、本体側仕切り部７０ａ，７０ｂにより第３の吹出口２３ａ，２３ｂを設けるので、乾燥運転モード、換気運転モード、２４時間換気運転モード時に、フロントパネル４の裏面に空気を吹き出すことができる。これにより、フロントパネル４の裏面に溜まっている結露水に風を当てると共に、結露水をフロントパネル４の裏面の周縁部の延在方向に沿って循環、移動させることで、結露水の乾燥速度を上げることができる。さらに、結露水を乾燥させることに伴って発生する湿った空気を換気吹出口２４側に流すことで、湿った空気を換気吹出口２４から排気させることができる。これにより、浴室換気乾燥暖房機１内で結露水を乾燥させて湿った空気を排気することができるので、乾燥速度をより向上させることができる。これらの結果、フロントパネル４の裏面内部から結露水が浴室内に滴下されることを抑制できる。また、フロントパネル４の裏面側に結露水が滞留することで発生するカビについても効果的に抑制できる。さらに、結露水の乾燥速度の向上によりフロントパネル４の裏面内部から結露水が外部に溢れ出ることを防止できるので、薄型のフロントパネル４を採用することもできる。
【００６０】
また、ヒータ５の外面側に本体側仕切り部７０ａ，７０ｂを設けるので、暖房運転モード時に、浴室側からフィルタを介さずにフロントパネル４の第２の吹出口グリル４２等から吸い込まれて循環換気ファン２側に流れ込もうとする空気を遮断することができる。
【００６１】
また、本実施の形態によれば、循環換気ファンケース３１の内壁面の換気吹出口２４に対応する位置に、風路切替ダンパ６の上面部に密接可能な枠体を設けるので、暖房運転モード又は停止運転モード時に、風路切替ダンパ６及び循環換気ファンケース３１の２部品により、気密性を確保することができる。これにより、気密性能の確保が従来よりも容易となる。
【００６２】
なお、本発明の技術範囲は、上述した実施形態に限定されるものではなく、本発明の趣旨を逸脱しない範囲において、上述した実施形態に種々の変更を加えたものを含む。上述した実施の形態では、本体側仕切り部７０ａ，７０ｂを支持部材７２ａ，７２ｂに形成した例について説明したが、これに限定されることはない。例えば、本体側仕切り部７０ａ，７０ｂを風路形成枠体５０に直接形成するようにしても良い。
【００６３】
上述した実施の形態では、第２の吹出口２２の両端部に本体側仕切り部７０ａ，７０ｂを設け、２箇所の第３の吹出口２３ａ，２３ｂを設けた例について説明したが、これに限定されることはない。例えば、本体側仕切り部を１箇所に設け、第３の吹出口を１箇所設けるようにしても良い。この場合、フロントパネル４の第３の吹出口に対向する位置は開口を形成せずに、閉塞部として構成する。
【００６４】
また、送風部は、本実施の形態の循環換気ファン２のように、１つのファンで換気吹出口２４と第１の吹出口２１、第２の吹出口２２及び第３の吹出口２３へ吹出しを行うものに限定されない。例えば、換気吹出口２４への吹出しのためのファンと、第１の吹出口２１、第２の吹出口２２及び第３の吹出口２３への吹出しのためのファンとを別個の２つのファンで行う構成でも良い。
【符号の説明】
【００６５】
１  浴室換気乾燥暖房機（送風装置）
２  循環換気ファン（送風部）
３  本体部（送風装置本体部）
４  フロントパネル
５  ヒータ
６  風路切替ダンパ（吹き出し制御機構）
２０  循環換気吸込口
２１  第１の吹出口
２２  第２の吹出口（室内吹き出し部）
２３  第３の吹出口（裏面吹き出し部）
２４  換気吹出口
２５  羽根車
３１  循環換気ファンケース
４２  第２の吹出口グリル（開口部）
４３ａ，４３ｂ  パネル側仕切り部
４６ａ，４６ｂ  閉塞部
５０  風路形成枠体
７０ａ，７０ｂ  本体側仕切り部
【図１】
2019199859.tif 000003
【図２】
2019199859.tif 000004
【図３】
2019199859.tif 000005
【図４】
2019199859.tif 000006
【図５Ａ】
2019199859.tif 000007
【図５Ｂ】
2019199859.tif 000008
【図５Ｃ】
2019199859.tif 000009
【図６Ａ】
2019199859.tif 000010
【図６Ｂ】
2019199859.tif 000011
【図６Ｃ】
2019199859.tif 000012
【図７Ａ】
2019199859.tif 000013
【図７Ｂ】
2019199859.tif 000014
【図７Ｃ】
2019199859.tif 000015
【図７Ｄ】
2019199859.tif 000016
【図８Ａ】
2019199859.tif 000017
【図８Ｂ】
2019199859.tif 000018
【図８Ｃ】
2019199859.tif 000019
【図８Ｄ】
2019199859.tif 000020